(57)【要約】【課題】払拭面の汚れが落としきれなくなった場合に、払拭体を簡単に取り外して交換や洗浄が可能である白板用消去具を提供する。【解決手段】環状形状の払拭体６の内部に２本の支軸３，４を配設し、スプリング５にて２本の支軸３，４を互いが離間するよう弾発させて消去ユニット７を構成し、ケース２の前後側壁２ａ，２ｂのそれぞれに、２つの切欠部２３ａ，２４ａを形成し、ケース２の切欠部に２本の支軸３，４の小径部３ｂ，３ｃ，４ｂ，４ｃを取り付け、ケース２に対して消去ユニットを着脱可能に装着する。【選択図】図５
2011194658.tif 000002
【特許請求の範囲】
【請求項１】
基材に繊維束を植毛した払拭体をケースに装着した白板用消去具であって、外周面に繊維束を植毛して払拭面とした環状形状の払拭体を形成し、前記払拭体の内部に、軸本体部の前後端に小径部を有し該小径部の先端に当該小径部より大径に形成した膨出部を有する２本の支軸を配設し、前記２本の支軸の小径部を回動可能に保持する係止湾曲部を有したスプリングにて当該２本の支軸を互いが離間するよう弾発させて消去ユニットを構成し、前記ケースの前後側壁のそれぞれに、下方が開口し前記支軸の小径部より巾広である２つの切欠部を、下方においては前記スプリング体により弾発された前記２本の支軸の小径部の間隔より狭く、上方においては前記スプリングにより弾発された前記２本の支軸の小径部の間隔より広く形成し、当該ケースの切欠部に前記２本の支軸の小径部を配設することによって前記ケースへ前記消去ユニットを着脱可能に装着し、前記２本の支軸の少なくともいずれか一つの端部に前記ケースから突出するよう形成した操作部を回転させることにより、前記ケース体に対して前記環状形状の払拭体が回転する構造を特徴とした白板用消去具。
【発明の詳細な説明】
【技術分野】
【０００１】
本発明は、一般的にホワイトボードと言われる白板の筆記面に筆記されたインキによる筆跡を消去する白板用消去具に関する。
【背景技術】
【０００２】
従来より、白板にインキで書き込まれた文字や図形を払拭する白板用消去具はよく知られており、前記消去具は、例えば特開平９−１８８０９７号公報に記載されているように矩形状のものが多く、また手が汚れないように払拭体をケースで被覆する構造のものが一般的である。この消去具は、鉛筆などの鉛芯による筆跡を、消し屑を排出しながら消す構造の消しゴムとは異なり、白板の表面に付着したインキを、基材に対して繊維束を植毛した払拭体により削り取るようにして消去する構造であるため、使用している内に払拭面が汚れて消去がしにくくなるといった問題があった。
そこで実開平３−９３１９８号公報では、白板に類似する黒板に使用するものとして、ケースの外方に突出させたネジを回すことにより、外周面上に繊維束を植毛した環状の払拭体を回転させて新しい払拭面を露出できる構造の消去具が提案されている。
【０００３】
ところで、実開平３−９３１９８号公報記載の消去具には、汚れた払拭面をケース内部に設けた金網で擦って払拭面に付着したチョークの粉を取り除く構造が開示されているが、白板用消去具に同構造を採用した場合には、インキの粉はチョークの粉より払拭面に対して強く付着していることから、次第に払拭面の汚れが落としきれなくなるという問題が生じた。したがって払拭面の汚れが落としきれなくなった場合には、消去具から払拭体を簡単に取り外せるものや、あるいはケースから取り外して払拭体の洗浄が可能なものが求められていた。
【先行技術文献】
【特許文献】
【０００４】
【特許文献１】特開平８−６７０９６号公報
【特許文献２】実開平３−９３１９８号公報
【発明の概要】
【発明が解決しようとする課題】
【０００５】
本発明はこうした事実に鑑み、払拭面の汚れが落としきれなくなった場合に、払拭体を簡単に取り外して交換や洗浄が可能である白板用消去具を提供することを目的とした。
【課題を解決するための手段】
【０００６】
本発明は、
「基材に繊維束を植毛した払拭体をケースに装着した白板用消去具であって、外周面に繊維束を植毛して払拭面とした環状形状の払拭体を形成し、前記払拭体の内部に、軸本体部の前後端に小径部を有し該小径部の先端に当該小径部より大径に形成した膨出部を有する２本の支軸を配設し、前記２本の支軸の小径部を回動可能に保持する係止湾曲部を有したスプリングにて当該２本の支軸を互いが離間するよう弾発させて消去ユニットを構成し、前記ケースの前後側壁のそれぞれに、下方が開口し前記支軸の小径部より巾広である２つの切欠部を、下方においては前記スプリング体により弾発された前記２本の支軸の小径部の間隔より狭く、上方においては前記スプリングにより弾発された前記２本の支軸の小径部の間隔より広く形成し、当該ケースの切欠部に前記２本の支軸の小径部を配設することによって前記ケースへ前記消去ユニットを着脱可能に装着し、前記２本の支軸の少なくともいずれか一つの端部に前記ケースから突出するよう形成した操作部を回転させることにより、前記ケース体に対して前記環状形状の払拭体が回転する構造を特徴とした白板用消去具。」である。
【発明の効果】
【０００７】
本発明の白板用消去具は前記したような構造なので、ケースに装着した払拭体の払拭面が汚れてしまった場合、払拭体と支軸とスプリングで一体になった消去ユニットをケースに対して簡単に着脱することができ、新しい消去ユニットに交換したり、あるいは払拭体の中からスプリングで保持された支軸を抜き取って、汚れた払拭体だけを洗浄することが簡単なものとなった。
【図面の簡単な説明】
【０００８】
【図１】本実施例の白板用消去具を前方側から見た斜視図である。
【図２】図１の斜視図において、内部構造などの隠れた形状の一部を破線により示した図である。
【図３】図１のＳ−Ｓ線断面図である。
【図４】本実施例の白板用消去具を後方側から見た斜視図で、一部を断面化して内部を示した状態の図である。
【図５】本実施例の白板用消去具で、ケースと消去ユニットとを分離した状態の図である。
【図６】消去ユニットの図である。
【図７】本実施例の消去ユニットで、払拭体から支軸を抜き取った状態の図である。
【発明を実施するための最良の形態】
【０００９】
払拭体をケースに対して簡単に着脱することができ、新しい払拭体に交換したり払拭体のみを簡単に洗浄することが容易な白板用消去具を実現した。
【実施例】
【００１０】
本実施例を図面を用いて説明するが、本発明はこれに限定されるものではない。同じ部材同じ部位を示す場合は同じ符号を付してある。また、前後で同様の部材・部位については、符号をカッコ内に記載させてある。
【００１１】
図１〜図５に示すように、白板用消去具１は、本体となるケース２に対し、２本の支軸３，４と、前後において支軸３，４を互いに離間する方向へ弾発する２個のスプリング５、および支軸３，４の軸本体部３ａ，４ａを内側に配した環状形状の払拭体６で構成する消去ユニット７を装着している（特に図５参照）。
また、図５にて消去ユニット７を分離して解りやすく示したように、ケース２は、前側壁２ａの下方には一対の切欠部２３ａ，２４ａを設け、後側壁２ｂの下方に切欠部２３ｂ，２４ｂを設けてある。尚、各切欠部は鉤形に形成してあり、具体的には、前側壁２ａ（後側壁２ｂ）へ形成した切欠部２３ａ，２４ａ（切欠部２３ｂ，２４ｂ）は、前側壁２ａ（後側壁２ｂ）の下縁から上方へ向かって垂設した垂直部２３ｃ，２４ｃ（垂直部２３ｄ，２４ｄ）と、前記垂直部２３ｃ，２４ｃ（垂直部２３ｄ，２４ｄ）に連設させた水平部２３ｅ，２４ｅ（水平部２３ｆ，２４ｆ）を、互いが離間する方向に延設してある。
【００１２】
また図３に示すように、支軸３，４の軸本体部３ａ，４ａの前方には小径部３ｂ，４ｂをそれぞれ形成してあり、支軸３，４の軸本体部３ａ，４ａの後方には小径部３ｃ，４ｃをそれぞれ形成してある。小径部３ｂの前方には、小径部３ｂより径が大きく支軸３を回転させるための操作部３ｄを形成してあり、小径部３ｃの後方には、小径部３ｃより径が大きい膨出部３ｅを形成してある。小径部４ｂの前方には小径部４ｂより径が大きい膨出部４ｄを、小径部４ｃの後方には小径部４ｃより径が大きい膨出部４ｅを形成してある。本実施例では、スプリング５に形成した半円形状の係止部５ａに対して、支軸３の小径部３ｂ，３ｃおよび支軸４の小径部４ｂ，４ｃを係止して、スプリング５のＬ字型の弾性部５ｂの弾発力で、払拭体６の内面を外方へ拡げてテンションが掛った状態で維持できるようにしてある（図６参照）。また図３の状態では、ケース２における切欠部２３ａの水平部２３ｅに支軸３の小径部３ｂを、切欠部２３ｂの水平部２３ｆに支軸３の小径部３ｃを係止して、ケース２における切欠部２４ａの水平部２４ｅに支軸４の小径部４ｂを、切欠部２４ｂの水平部２４ｆに支軸４の小径部４ｃを係止して、消去ユニット７がケース２から脱落しないようにしてある。
尚、図４に示すように本実施例では、ケース２の天部内面より突出させ形成した前後に延びるブラシ固定部２５にワイヤブラシ８を圧入して固定してあり、ワイヤブラシ８を消去ユニット７の払拭体６に当接させて、払拭体６の払拭面６ａの汚れを擦り取ることができるようにしてある。
【００１３】
次に図５を用いて、ケース２に対して消去ユニット７を着脱する方法について説明を行う。尚、本説明では図５で見える前方のみについてのみを行うが、後方においても同様の動きが行われるものである。図５に示すように、消去ユニット７の払拭体６を左右から内側に摘んでスプリング５の弾性部５ｂの巾を狭めて、消去ユニット７の支軸３，４の小径部３ｂ，４ｂをケース２の切欠部２３ａ，２４ａの水平部２３ｅ，２４ｅの内側にずらし、小径部３ｂ，４ｂが垂直部２３ｃ，２４ｃの位置にきたところで下方へ移動させることにより、消去ユニット７をケース２から取り外すことができる。消去ユニット７をケース２に対して取り付ける場合には、支軸３，４の小径部３ｂ，４ｂをケース２の切欠部２３ａ，２４ａの垂直部２３ｃ，２４ｃに位置合わせして上方へ移動させ、指を離すとスプリング５の弾発力で支軸３，４が拡がって、支軸３，４の小径部３ｂ，４ｂが切欠部２３ａ，２４ａの水平部２３ｅ，２４ｅの端に向かって拡がり、消去ユニット７をケース２に抜け止め状態で取り付けることができる。
【００１４】
尚、ケース２から分離された消去ユニット７は、図６に示すように、支軸３と支軸４とを、スプリング５の弾発力により払拭体６の内面を外方へ拡げるようにして一体的に保持できるので、着脱および新旧の消去ユニットの交換を行いやすいものとなった。さらに、図７に示すように、払拭体６から支軸３，４を抜き取ることで、払拭体６を洗浄することが簡単な状態にできる。本実施例では、支軸３の小径部３ｂと支軸４の小径部４ｂとをスプリング５の係止部５ａで係止してあるため、２本の支軸３，４がばらばらになってしまうことなく、払拭体６の洗浄を終え、再度組立てることが簡単にできた。
【産業上の利用可能性】
【００１５】
本発明の白板用消去具は、払拭体の交換や洗浄が簡単なため、払拭体が汚れやすい顔料や染料などの色成分が多く含まれるインキで筆記した筆跡を拭き取る場合において好適である。また本発明構造を黒板用消去具に採用することも可能である。
【符号の説明】
【００１６】
１…白板用消去具、
２…ケース、
２ａ…前側壁、
２３ａ，２３ｂ…切欠部、２３ｃ，２３ｄ…垂直部、
２３ｅ，２４ｅ…水平部、
２ｂ…後側壁、
２４ａ，２４ｂ…切欠部、２４ｃ，２４ｄ…垂直部、
２３ｆ，２４ｆ…水平部、
２５…ブラシ固定部、
３…支軸、３ａ…軸本体部、３ｂ…小径部、３ｃ…小径部、
３ｄ…操作部、３ｅ…膨出部、
４…支軸、４ａ…軸本体部、４ｂ…小径部、４ｃ…小径部、
４ｄ…膨出部、４ｅ…膨出部、
５…スプリング、５ａ…係止部、５ｂ…弾性部、
６…払拭体、７…消去ユニット、
８…ワイヤブラシ。
【図１】
2011194658.tif 000003
【図２】
2011194658.tif 000004
【図３】
2011194658.tif 000005
【図４】
2011194658.tif 000006
【図５】
2011194658.tif 000007
【図６】
2011194658.tif 000008
【図７】
2011194658.tif 000009